(57)【特許請求の範囲】
【請求項１】
端子金具が挿入可能とされるコネクタハウジングには、その側方から前記端子金具の挿入方向と交差する向きに沿って差し込まれて、正規位置に達したところで端子金具に係止されるリテーナが備えられているものにおいて、
前記コネクタハウジングには、外部へ開口する開口部が設けられるとともに、前記リテーナには、リテーナが前記正規位置に達したときに始めて前記開口部に臨んで外部から視認可能とされる検知部が設けられており、
前記リテーナは、合成樹脂製とされるとともに差込方向奥側部分が二股状に形成された基部を備え、この基部の二股部分には、前記コネクタハウジング側の保持凸部に係止されることでリテーナを保持可能な保持凹部が設けられるのに加えて、前記検知部が設けられていることを特徴とするコネクタ。
【請求項２】
前記コネクタハウジングが、前記端子金具を収容するとともに前記リテーナが装着される端子収容部と、この端子収容部の外側を取り囲むフード部とを備えているものにおいて、
前記リテーナが前記端子収容部に対して前記正規位置に至る前では、リテーナの差込方向手前側端部が端子収容部から外側へ突出して配され、リテーナが正規位置に達すると、前記リテーナの差込方向手前側端部が端子収容部内に収容されるとともに、前記検知部が前記開口部に臨んで配されることを特徴とする請求項１記載のコネクタ。
【請求項３】
前記検知部には、前記コネクタハウジングにおける前記開口部の周縁部分とは異なる色が配色されていることを特徴とする請求項１または請求項２記載のコネクタ。
【発明の詳細な説明】
【０００１】
【発明の属する技術分野】
本発明は、リテーナを備えたコネクタに関する。
【０００２】
【従来の技術】
従来この種のコネクタの一例として、いわゆるサイドリテーナタイプと称するものが知られている。このものは、キャビティを設けたハウジングの側面側からリテーナを差し込んで端子金具の被係止部に係止するものであり、通常は端子金具のキャビティへの挿抜を許容すべく後退した仮係止位置と、端子金具に係止すべく前進した本係止位置とにそれぞれ保持できる構造となっている。
ここで、このサイドリテーナタイプのものでは、リテーナが仮係止位置にあるときには、リテーナの差込方向の後端がハウジングの側面から突出し、本係止位置に至るとリテーナの差込方向後端面とハウジングの側面とが面一状になることで、作業者がハウジングを手にした感触によって容易にリテーナの位置検知を行えるようにしている。
なお、このようなコネクタが特許第２６２７３５７号に記載されている。
【０００３】
【発明が解決しようとする課題】
ところで、例えば雌側の防水コネクタのように、キャビティの形成された端子収容部の回りがフード部で囲まれたような形状のコネクタにおいて、その端子収容部に上記のようなサイドタイプのリテーナを装着する場合には、リテーナがフード部の内側に引っ込んだ位置に配されることになる。このため、リテーナの位置検知については、リテーナの差込方向手前側端面が端子収容部の側面に対して面一になったか否かを前方から目視することで判別していた。
しかしながら、リテーナと端子収容部とが面一かどうかの位置関係は、リテーナを目視する角度が正規の角度から僅かでも傾くと、正確に視認できなくなってしまうため、リテーナの正確な位置検知を行うのが困難であった。
本発明は上記のような事情に基づいて完成されたものであって、リテーナの位置検知を正確に行うことができるコネクタを提供することを目的とする。
【０００４】
【課題を解決するための手段】
上記の目的を達成するための手段として、請求項１の発明は、端子金具が挿入可能とされるコネクタハウジングには、その側方から前記端子金具の挿入方向と交差する向きに沿って差し込まれて、正規位置に達したところで端子金具に係止されるリテーナが備えられているものにおいて、前記コネクタハウジングには、外部へ開口する開口部が設けられるとともに、前記リテーナには、リテーナが前記正規位置に達したときに始めて前記開口部に臨んで外部から視認可能とされる検知部が設けられており、前記リテーナは、合成樹脂製とされるとともに差込方向奥側部分が二股状に形成された基部を備え、この基部の二股部分には、前記コネクタハウジング側の保持凸部に係止されることでリテーナを保持可能な保持凹部が設けられるのに加えて、前記検知部が設けられている構成としたところに特徴を有する。
【０００５】
請求項２の発明は、請求項１に記載のものにおいて、前記コネクタハウジングが、前記端子金具を収容するとともに前記リテーナが装着される端子収容部と、この端子収容部の外側を取り囲むフード部とを備えているものにおいて、前記リテーナが前記端子収容部に対して前記正規位置に至る前では、リテーナの差込方向手前側端部が端子収容部から外側へ突出して配され、リテーナが正規位置に達すると、前記リテーナの差込方向手前側端部が端子収容部内に収容されるとともに、前記検知部が前記開口部に臨んで配されるところに特徴を有する。
【０００６】
請求項３の発明は、請求項１または請求項２に記載のものにおいて、前記検知部には、前記コネクタハウジングにおける前記開口部の周縁部分とは異なる色が配色されているところに特徴を有する。
【０００７】
【発明の作用及び効果】
＜請求項１の発明＞
検知部が開口部に臨んで外部から視認できるか否かによってリテーナの取付位置を正確に検知することができる。
【０００８】
＜請求項２の発明＞
リテーナの差込方向手前側端部が端子収容部内に収容されたか、検知部が開口部に臨んだかによってリテーナの取付位置を検知できる。検知部と、リテーナの差込方向手前側端部との２箇所を目視することで、より正確なリテーナの位置検知を期することができる。
【０００９】
＜請求項３の発明＞
検知部を目視により確認し易くなるから、一層正確なリテーナの位置検知を行うことができる。
【００１０】
【発明の実施の形態】
本発明の一実施形態を図１ないし図１６によって説明する。この実施形態では、防水機能を備えた雌コネクタを示す。この雌コネクタは、大まかには、図３に示すように、端子金具１３を収容可能なハウジング本体１０に対して、前方からは防水用のゴムリング３０と端子金具１３を支持するための保持部材５０とが組み付けられ、側方からは端子金具１３に係止してその抜け止めを図るためのリテーナ４０が組み付けられて構成される。なお、以下では、上下方向については、図３、図５、図８、図１０、図１３及び図１５以外の各図面を基準とし、前後方向については特に断らない限りハウジング本体１０に対する端子金具１３の挿入方向を前方として説明する。また、この実施形態では、ハウジング本体１０に保持部材５０を組み付けたものが特許請求の範囲に記載したコネクタハウジングに相当している。
【００１１】
ハウジング本体１０は、合成樹脂製とされ、図３及び図４に示すように、後方から端子金具１３が挿入されるキャビティ１９を幅方向に５室並べて備えた端子収容部１１と、この端子収容部１１を取り囲むフード部１２とを備えている。端子金具１３は、箱形の接続部１４と、電線Ｗの端末に圧着接続されるバレル部１５とを前後に備えており、電線Ｗの被覆端部に嵌着されたゴム栓１６がバレル部１５によってかしめ固定されている。キャビティ１９は、前半部分が端子金具１３の接続部１４に合わせて略角形に形成される一方、後半部分がゴム栓１６に合わせて円形に形成されることでゴム栓１６がキャビティ１９の内周面に密着してキャビティ１９内を防水できるようになっている。各キャビティ１９の前部上面側からは片持ち状のランス２０が端子金具１３の挿入方向に沿って延出して設けられていて、このランス２０はキャビティ１９内に挿入される端子金具１３によって上方の撓み空間２１内へ一旦弾性変形された後、端子金具１３が正規深さに至ると弾性復帰して接続部１４の上面に突設された被係止部１７に係止されるようになっている。このとき端子金具１３は、その前端部を端子収容部１１から前方へ突き出した状態で収容される。なお、この端子金具１３の突出部分（前端部）については後に詳しく説明する保持部材５０によって支持される（図９参照）。
【００１２】
隣り合う各キャビティ１９の前半部分を仕切る隔壁２２には、ランス２０の根元位置から前方へ開放する切欠部２３がそれぞれ設けられている。この切欠部２３は、図１に示すように、隔壁２２の上部をその高さ寸法の半分強にわたって（隔壁２２の上端位置からランス２０の下端部よりも下方位置まで）開放して形成されている。各切欠部２３の奥端面からは、ランス２０の図１の左側面に対して全長にわたって連結される解除操作片２４が突設されており、この解除操作片２４を治具などによって押圧操作することで、ランス２０を強制的に撓み変形させて、端子金具１３に対するランス２０の係止状態を解除できるようになっている。この解除操作片２４の幅寸法は、切欠部２３の幅寸法の半分程度となっている。切欠部２３のうち解除操作片２４とその図１の左隣のランス２０との間の空間には、後に詳しく説明する保持部材５０の仕切り壁６０が前方から挿入可能とされている。切欠部２３の上下面には、仕切り壁６０が嵌合可能とされる略Ｖ字型の位置決め溝２５が凹んで形成され、この位置決め溝２５は仕切り壁６０の挿入方向に沿って真っ直ぐに延出して形成されている。また、上記隔壁２２の幅寸法は、キャビティ１９の前半部分の幅寸法よりも僅かに小さい程度の大きさとされている。
【００１３】
端子収容部１１におけるランス２０のやや後方位置には、図３及び図４に示すように、幅方向に沿って端子収容部１１を貫通するリテーナ取付孔２６が各キャビティ１９に連通して形成されている。このリテーナ取付孔２６内には、キャビティ１９内に突出して端子金具１３に係止されるリテーナ４０が側方から取付可能とされている。リテーナ取付孔２６の孔縁のうち、リテーナ４０の差込方向奥側には、図５に示すように、リテーナ４０を保持するための保持凸部２７が前後に一対対向して設けられている。また、保持凸部２７よりもリテーナ４０の差込方向奥側には、保持凸部２７の奥端面を成形するための型抜き孔２８が前方へ開放して形成されている。端子収容部１１の上下面には、図４に示すように、保持部材５０を保持するための一対の保持溝部２９が幅方向に沿って側方へ開放して形成されている。また、端子収容部１１の前端面には、保持部材５０の取り付け動作を案内するためのテーパ面が上下に一対ずつ設けられている。
【００１４】
フード部１２は、端子収容部１１の後部周面から径方向に張り出す連結部分を介して端子収容部１１と連結されるとともに、前方へ開放する略角筒状に形成されている。このフード部１２と端子収容部１１との間には、前方から相手側の雄コネクタ（図示せず）が嵌合可能とされており、端子収容部１１の外周面に嵌着されるゴムリング３０が端子収容部１１と上記雄コネクタとの間に狭まれた状態で両者に密着することで、両コネクタ間の防水が図られるようになっている。フード部１２の上部における幅方向の中央には、雄コネクタを嵌合状態に保持するためのロックアーム３１が設けられている。ロックアーム３１は、その後端部が一対の支持アーム３２によって端子収容部１１に連結されるとともに、図５に示すように、両側縁部がフード部１２と部分的に連結されることで支持されて上下方向に弾性変形可能とされている。フード部１２における図５の右側部には、リテーナ４０を挿通可能なリテーナ挿通孔３３が側方に開口して設けられている。図２に示すように、このリテーナ挿通孔３３を介して端子収容部１１のリテーナ取付孔２６と、保持溝部２９とが側方外部へ露出しており、これらリテーナ挿通孔３３、リテーナ取付孔２６及び保持溝部２９は、ハウジング本体１０の成形時に同じ金型によって成形されている。また、フード部１２の両側部及び下部は、図１に示すように、それぞれ部分的に外方へ膨出して形成されることで、雄コネクタの嵌合動作を案内するためのガイド溝部３４が３つ設けられている。
【００１５】
リテーナ４０は、合成樹脂製とされるとともにゴムリング３０とは異なる色に着色されており、リテーナ取付孔２６内に差し込まれる細長い板状の基部４１を備えるとともに、基部４１の下面側には、各キャビティ１９内に突入して端子金具１３に係止可能な係止突部４２が５つ、キャビティ１９間のピッチに合わせて並んで設けられている。基部４１のうち、端子収容部１１に対する差込方向手前側端部の上面には、リテーナ４０の取り付け時に側方から治具によって押圧操作可能な取付操作突部４３が設けられている。基部４１の差込方向手前側端部の前面には、取り外し時に前方から治具によって押圧操作が可能な薄肉状の取外操作片部４４が前方へ突設されている。基部４１における差込方向奥側の先端には、基部４１よりも太く形成された検知部４５が設けられている。また、リテーナ４０の差込方向手前側端部の側面は、後記する保持部材５０の外形に合わせて緩やかな弧状に形成されている。
【００１６】
基部４１における差込方向奥側部分の前後面には、図５に示すように、奥側から順に第１保持凹部４６と第２保持凹部４７とが一対ずつ並んで設けられている。そして、これら第１保持凹部４６または第２保持凹部４７がリテーナ取付孔２６内の保持凸部２７に係止されることで、リテーナ４０は端子収容部１１に対して仮係止位置と本係止位置（正規位置）との２位置に保持されるようになっている。
【００１７】
詳しくは、図８に示すように、第１保持凹部４６が保持凸部２７に係止すると、リテーナ４０は仮係止位置に保持される。このとき、図１０に示すように、各係止突部４２がキャビティ１９から退避して隔壁２２と同じ位置に配されることで、キャビティ１９内への端子金具１３の挿抜が許容されるとともに、図１１に示すように、リテーナ４０の差込方向手前側端部が端子収容部１１の側面から図示右側に突出して配され、且つ検知部４５が端子収容部１１内に留められる。
【００１８】
一方、リテーナ４０が奥側に移動して、図１３に示すように、第２保持凹部４７が保持凸部２７に係止すると、リテーナ４０は本係止位置に保持される。このとき、図１４に示すように、各係止突部４２がキャビティ１９内に突入して端子金具１３の接続部１４の後端に形成されたあご部１８に係止されるとともに、図１６に示すように、リテーナ４０の差込方向手前側端部が後記する保持部材５０の内側に収容されて、その差込方向手前側側面が保持部材５０の側面とほぼ面一になり、且つ検知部４５が端子収容部１１の図示左方へ突出して配される。また、上記した係止突部４２の幅寸法は、隔壁２２の幅寸法よりも僅かに小さい程度であり、端子金具１３のあご部１８のほぼ全幅にわたって係止されるようになっている。
【００１９】
保持部材５０は、合成樹脂製とされるとともにリテーナ４０とは異なる色に着色されており、図６に示すように、略長円形状の前壁５１を備えるとともに、前壁５１からは上下に分かれた保持板５２が後方へ突出して設けられている。上下の保持板５２は、図４に示すように、端子収容部１１の外周面に嵌合可能とされるとともに、その内面に一対ずつ設けられた保持突部５３が端子収容部１１に凹設された保持溝部２９に係止されることで、保持部材５０が端子収容部１１に一体的に組み付けられた状態に保持されるようになっている。このとき、両保持板５２がゴムリング３０の前端面に係合可能とされることで、ゴムリング３０の抜け止めが図られるようになっている（図９参照）。上側の保持板５２における図６の右端部下面には、端子収容部１１の型抜き孔２８内に進入可能な膨出部５４が設けられている（図１１参照）。上下の保持板５２における図６の左端部間には、リテーナ取付孔２６及びリテーナ挿通孔３３に連通する連通部５５が側方へ開口して設けられている。この連通部５５の前方には、図１２に示すように、本係止位置とされたリテーナ４０の取外操作片部４４を前方外部へ臨ませるとともに、取外操作片部４４を操作するための治具を挿通可能な治具挿通凹部５６が前壁５１を凹ませて設けられている。
【００２０】
前壁５１には、図３及び図４に示すように、端子収容部１１から前方へ突き出す各端子金具１３の前端部が嵌合可能とされる嵌合凹部５７がキャビティ１９間のピッチに合わせた位置に５つ並んで設けられている。端子金具１３の前端部は、嵌合凹部５７によって支持されることで上下方向、幅方向及び前方へ遊動不能に保持される。図６に示すように、前壁５１のうち嵌合凹部５７の中央位置には、相手側の雄コネクタの雄端子金具を挿通可能な挿通孔５８が貫通して形成されている。前壁５１には、嵌合凹部５７のうち図６の右上部分に連通する治具挿入孔５９が前後に貫通して形成されている。この治具挿入孔５９は、図７に示すように、ランス２０の解除操作片２４が前方外部へ臨むような位置に形成されるとともに、前方から解除操作片２４を操作するための治具が挿入可能とされている。この治具挿入孔５９は、上記挿通孔５８に対して斜めにずれた位置に配されているから、両コネクタの嵌合時に相手側の雄コネクタが上下方向または幅方向について傾いた姿勢とされた場合でも、雄端子金具が誤って治具挿入孔５９内に入り難くなっている。
【００２１】
図６に示すように、前壁５１の後面のうち、治具挿入孔５９の図６の右隣で、且つ嵌合凹部５７の左隣の位置には、それぞれ４本の仕切り壁６０が後方へ突出して設けられている。これらの仕切り壁６０は、保持部材５０を端子収容部１１に組み付けるのに伴って、図１１に示すように、各切欠部２３内に挿入可能とされている。仕切り壁６０は、図１０に示すように、その後端部が切欠部２３の奥端面に当接する位置（ランス２０の根元位置）まで挿入されることで、切欠部２３を全域にわたって塞ぐ。この仕切り壁６０により、隣り合うキャビティ１９内に挿入される端子金具１３が互いに絶縁状態に隔離されるとともに、仕切り壁６０の側面がキャビティ１９の側面の一部を構成する。この仕切り壁６０の幅寸法は、隔壁２２（切欠部２３）の半分程度とされており、仕切り壁６０とランス２０または解除操作片２４との間には、ランス２０の弾性変形動作を阻害しない程度の最低限の隙間が確保されている。詳しくは、仕切り壁６０の図示左側面は、嵌合凹部５７及びキャビティ１９の内側面に対して僅かに引っ込んで形成されている。
【００２２】
仕切り壁６０の上下端部には、図１１に示すように、上下に突出する略三角形の位置決め突部６１が形成されており、その位置決め突部６１が、切欠部２３に形成された略Ｖ字型の位置決め溝２５内に嵌合されることで、仕切り壁６０が幅方向にずれることなく正規位置に位置決めされるようになっている。詳しくは、仕切り壁６０の上下面における図１１の左端には、右側の位置決め突部６１へとつながる水平部分が僅かに確保されており、この水平部分が切欠部２３の上下面に当接可能とされている。
【００２３】
保持部材５０のうち上記連通部５５とは反対側（リテーナ４０の差込方向奥側）には、図７及び図８に示すように、前後方向に沿って延出する開口部６２が保持部材５０の全長にわたって形成されている。この開口部６２は、上下の保持板５２の図６の右端部間に配されるとともに前壁５１を切り欠いて形成されている。開口部６２は、図１１に示すように、保持部材５０が端子収容部１１に取り付けられた状態においてリテーナ取付孔２６、すなわちリテーナ４０の検知部４５とほぼ同じ高さ位置に配されるようになっている。そして、リテーナ４０が仮係止位置に取り付けられたときは、図７及び図８に示すように、リテーナ４０の検知部４５が端子収容部１１内に配されるとともに開口部６２からは退避して配されることで前方から視認不能とされる一方、図１２及び図１３に示すように、リテーナ４０が本係止位置に移動されると、始めて検知部４５が開口部６２に突出して前方から検知部４５を視認可能とされるようになっている。ここで、リテーナ４０は、ゴムリング３０及び保持部材５０とは異なる配色とされているから、検知部４５と開口部６２の口縁部分とのコントラストがはっきりとして、検知部４５を視認し易くなっている。
【００２４】
続いて、雌コネクタの組み付け方法について説明する。まず、ハウジング本体１０の端子収容部１１の外周面にゴムリング３０を嵌着した後、その前方から保持部材５０を端子収容部１１に組み付ける。すると保持板５２の内周面が端子収容部１１の外周面に嵌合されるとともに、図９に示すように、保持突部５３がテーパ面に乗り上げた後に保持溝部２９内に進入してその前端面が保持溝部２９の前端面に係止されることで、保持部材５０が端子収容部１１に対して一体的に保持される。このとき、保持板５２の後端面がゴムリング３０の前端面に対して係合可能とされることで、ゴムリング３０の前方への抜け止めが図られる。この過程では、図１０及び図１１に示すように、各仕切り壁６０が各切欠部２３内に差し込まれるのに伴って、上下の位置決め突部６１が対応する位置決め溝２５内に進入されることで幅方向について位置決めされるから、仕切り壁６０がランス２０や解除操作片２４に干渉することなく円滑に切欠部２３に挿入される。仕切り壁６０は、その後端面が切欠部２３の奥端面に当接される深さ、つまりランス２０の根元に至る長さにわたって挿入されることで、隣り合うキャビティ１９間を仕切るとともにその側面がキャビティ１９の側面を構成する。また、このとき保持部材５０の前端面とハウジング本体１０の前端面とが面一状となる。
【００２５】
その一方で、ハウジング本体１０の側方からリテーナ４０を、フード部１２のリテーナ挿通孔３３を通して、端子収容部１１のリテーナ取付孔２６内に差し込む。図８に示すように、基部４１が第１保持凹部４６が保持凸部２７に係止する深さまで差し込まれたところで、リテーナ４０は仮係止位置に保持される。このとき、図７に示すように、リテーナ４０における差込方向手前側端部が幅方向について保持部材５０とフード部１２との間に配されることで前方から視認可能とされるとともに、図１１に示すように、検知部４５が開口部６２から差込方向手前側に退避した位置に配されて視認不能となっている。なお、これら保持部材５０とリテーナ４０の取り付け作業は、どちらが先であっても構わない。
【００２６】
続いて、キャビティ１９内に端子金具１３を挿入すると、途中で接続部１４がランス２０を押圧することでランス２０が上方の撓み空間２１内へ一旦弾性変形され、端子金具１３が正規深さに至ると、図９に示すように、ランス２０が弾性復帰して被係止部１７に係止されることで端子金具１３が一次係止される。このとき、図９及び図１０に示すように、端子金具１３の前端部が保持部材５０の嵌合凹部５７内に嵌合されることで、端子金具１３が前止まり状態に支持される。収容された端子金具１３は、仕切り壁６０によって切欠部２３が塞がれていることで、隣り合うキャビティ１９内の端子金具１３に対して絶縁状態に隔離される。全ての端子金具１３をキャビティ１９内に挿入したら、リテーナ４０を本係止位置（正規位置）へと移動させる。その際には、側方からリテーナ挿通孔３３を通した治具によってリテーナ４０の取付操作突部４３を押圧することで、リテーナ４０を奥側へ押し込み、図１３に示すように、第１保持凹部４６が保持凸部２７から抜け出した後、第２保持凹部４７が保持凸部２７に係止されることで、リテーナ４０は本係止位置に保持される。すると、図１４及び図１５に示すように、リテーナ４０の係止突部４２がキャビティ１９内に突入して、あご部１８に係止されることで端子金具１３が二次係止される。
【００２７】
リテーナ４０が仮係止位置から本係止位置へと移動する過程では、図１２に示すように、リテーナ４０の差込方向手前側端部のうち取外操作片部４４を除いた部分が次第に保持部材５０に隠れて前方から視認できなくなるとともに、検知部４５が端子収容部１１の奥側へ突出して開口部６２を介して前方から視認される。これにより、リテーナ４０が本係止位置（正規位置）に至ったことが検知される。このとき、リテーナ４０の差込方向手前側側面が保持部材５０の側面とほぼ面一に配される。ここで、仮に開口部６２を介して検知部４５が視認できない、あるいはリテーナ４０の差込方向手前側端部が保持部材５０から外側に突出して視認される場合には、リテーナ４０が本係止位置に至っていないことが検知される。
【００２８】
一方、メンテナンスなどの事情により端子金具１３を取り外す場合には、まずリテーナ４０を本係止位置から仮係止位置へ移動させる。このとき、リテーナ４０の取外操作片部４４に対して前方から保持部材５０の治具挿通凹部５６を通して突っ込んだ治具を操作することで、リテーナ４０を仮係止位置へ移動させる。その後、保持部材５０の治具挿入孔５９に対して上記とは別の治具を前方から挿入するとともに、治具挿入孔５９に臨んだランス２０の解除操作片２４を治具によって押圧操作することで、ランス２０を端子金具１３の被係止部１７との係止状態を解除しつつ強制的に弾性変形させてから、端子金具１３をキャビティ１９から引き抜くようにする。
【００２９】
以上説明したように本実施形態によれば、リテーナ４０が本係止位置（正規位置）に達したときに始めて検知部４５が開口部６２に臨み、外部から開口部６２を通して検知部４５を目視できるようにしたから、検知部４５を視認できるか否かによってリテーナ４０の取付位置を正確に検知することができる。
【００３０】
さらには、リテーナ４０が仮係止位置のときは、検知部４５が開口部６２から退避して配されるとともに、リテーナ４０の差込方向手前側端部が保持部材５０から外側に突出して配され、リテーナ４０が本係止位置に達すると、検知部４５が開口部６２に臨むとともに、リテーナ４０の差込方向手前側端部が保持部材５０の内側に収容されるようにしたから、検知部４５とリテーナ４０の差込方向手前側端部との２箇所を目視することで、より正確なリテーナ４０の位置検知を行うことができる。
【００３１】
しかも、リテーナ４０をゴムリング３０及び保持部材５０とは異なる配色とすることで、検知部４５と開口部６２の口縁部分とのコントラストをはっきりとさせることができるから、検知部４５を視認し易くなって、一層正確なリテーナ４０の位置検知を行うことができる。
【００３２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、端子収容部に別体の保持部材を組み付けて一体化させる構成のものを示したが、保持部材がハウジング本体に一体成形されたタイプのコネクタについても本発明を適用することができる。
【００３３】
（２）上記した実施形態では、リテーナ全体がゴムリング及び保持部材と異なる配色とした場合を示したが、例えばリテーナ及び保持部材を同じ色として、検知部についてのみ、リテーナ、ゴムリング及び保持部材とは異なる色を着色するようにしてもよく、そのようなものも本発明に含まれる。
【００３４】
（３）上記した実施形態では、フード部を備えた雌コネクタについて示したが、フード部を備えていない雌コネクタについても本発明を適用することができる。
（４）上記した実施形態では、雌コネクタについて示したが、雄コネクタについても本発明を適用することができる。
【図面の簡単な説明】
【図１】本発明の一実施形態に係るハウジング本体、保持部材及びリテーナの正面図
【図２】ハウジング本体、保持部材及びリテーナの側面図
【図３】雌コネクタを分解した状態を示す図１のＡ−Ａ線断面図
【図４】雌コネクタを分解した状態を示す図１のＢ−Ｂ線断面図
【図５】ハウジング本体とリテーナの図１のＣ−Ｃ線断面図
【図６】保持部材の背面図
【図７】保持部材を装着したハウジング本体にリテーナを仮係止位置に取り付けた状態を示す正面図
【図８】図７のＣ−Ｃ線断面図
【図９】図７のＢ−Ｂ線断面図
【図１０】図７のＡ−Ａ線断面図
【図１１】図１０のＤ−Ｄ線断面図
【図１２】リテーナを本係止位置に移動した状態を示す正面図
【図１３】図１２のＣ−Ｃ線断面図
【図１４】図１２のＢ−Ｂ線断面図
【図１５】図１２のＡ−Ａ線断面図
【図１６】図１５のＤ−Ｄ線断面図
【符号の説明】
１０…ハウジング本体（コネクタハウジング）
１１…端子収容部
１２…フード部
１３…端子金具
４０…リテーナ
４５…検知部
５０…保持部材（コネクタハウジング）
６２…開口部
【図１】
0003667652.tif 000002
【図２】
0003667652.tif 000003
【図３】
0003667652.tif 000004
【図４】
0003667652.tif 000005
【図５】
0003667652.tif 000006
【図６】
0003667652.tif 000007
【図７】
0003667652.tif 000008
【図８】
0003667652.tif 000009
【図９】
0003667652.tif 000010
【図１０】
0003667652.tif 000011
【図１１】
0003667652.tif 000012
【図１２】
0003667652.tif 000013
【図１３】
0003667652.tif 000014
【図１４】
0003667652.tif 000015
【図１５】
0003667652.tif 000016
【図１６】
0003667652.tif 000017